(57)【要約】  【課題】巻付防止体が曲がるとボルトが抜けなくなるという不具合が生じない農作業機を提供する。  【解決手段】農作業機１は、軸支持部12，14を有する作業機本体２を備える。農作業機１は、軸支持部12，14が支持した軸部25およびこの軸部25から突出した爪用フランジ部26を有する回転軸体21を備える。爪用フランジ部26には、耕耘爪27を取り付けるとともに耕耘爪27を支える爪押え体33を取り付ける。爪押え体33には、軸支持部12，14への雑物の巻付きを防止する巻付防止体35を設ける。  【選択図】図１
2005304403.tif 000002
【特許請求の範囲】
【請求項１】
軸支持部を有する作業機本体と、
前記軸支持部にて回転可能に支持された軸部およびこの軸部から突出した突出部を有する回転軸体と、
前記突出部に取り付けられた耕耘爪と、
前記突出部に取り付けられ、前記耕耘爪を支える爪押え体と、
この爪押え体に設けられ、前記軸支持部の外周部への雑物の巻付きを防止する巻付防止体と
を備えることを特徴とする農作業機。
【請求項２】
軸支持部を有する作業機本体と、
前記軸支持部にて回転可能に支持された軸部およびこの軸部から突出した突出部を有する回転軸体と、
前記突出部にボルトおよびナットにて取り付けられた耕耘爪と、
前記ナットに設けられ、前記軸支持部の外周部への雑物の巻付きを防止する巻付防止体と
を備えることを特徴とする農作業機。
【請求項３】
軸支持部を有する作業機本体と、
前記軸支持部にて回転可能に支持された軸部およびこの軸部から突出した突出部を有する回転軸体と、
前記突出部に取り付けられた耕耘爪と、
前記突出部に設けられ、前記軸支持部の外周部への雑物の巻付きを防止する巻付防止体と
を備えることを特徴とする農作業機。
【請求項４】
軸支持部を有する作業機本体と、
前記軸支持部にて回転可能に支持された軸部およびこの軸部から突出した突出部を有する回転軸体と、
前記突出部に取り付けられた耕耘爪と、
この耕耘爪に設けられ、前記軸支持部の外周部への雑物の巻付きを防止する巻付防止体と
を備えることを特徴とする農作業機。
【請求項５】
軸支持部を有する作業機本体と、
前記軸支持部にて回転可能に支持された軸部およびこの軸部から突出した突出部を有する回転軸体と、
前記突出部に取り付けられた耕耘爪と、
前記軸部に設けられ、前記軸支持部の外周部への雑物の巻付きを防止する巻付防止体と
を備えることを特徴とする農作業機。
【請求項６】
軸支持部を有する作業機本体と、
前記軸支持部にて回転可能に支持された軸部およびこの軸部から突出した突出部を有する回転軸体と、
前記突出部に取り付けられた耕耘爪と、
前記軸部に取り付けられた取付体と、
この取付体に設けられ、前記軸支持部の外周部への雑物の巻付きを防止する巻付防止体と
を備えることを特徴とする農作業機。
【発明の詳細な説明】
【技術分野】
【０００１】
本発明は、巻付防止体が曲がるとボルトが抜けなくなるという不具合の発生を防止できる農作業機に関するものである。
【背景技術】
【０００２】
従来、例えばチェーンケースおよびブラケットの各下端部に軸支持部を有する作業機本体と、軸支持部にて回転可能に支持された軸部およびこの軸部から突出した爪用フランジ部を有する回転軸体と、爪用フランジ部にボルトおよびナットにて取り付けられた耕耘爪と、ボルトの螺子部先端に設けられ軸支持部の外周部への稲わら等の雑物の巻付きを防止する棒状の巻付防止体とを備えた農作業機が知られている（例えば、特許文献１参照）。
【特許文献１】実公昭４８−３６８８９号公報
【発明の開示】
【発明が解決しようとする課題】
【０００３】
しかしながら、上記従来の農作業機では、巻付防止体がボルトの螺子部先端に設けられているため、巻付防止体が曲がるとボルトが抜けなくなるという不具合が生じるおそれがある。
【０００４】
本発明は、このような点に鑑みなされたもので、巻付防止体が曲がるとボルトが抜けなくなるという不具合の発生を防止できる農作業機を提供することを目的とする。
【課題を解決するための手段】
【０００５】
請求項１記載の農作業機は、軸支持部を有する作業機本体と、前記軸支持部にて回転可能に支持された軸部およびこの軸部から突出した突出部を有する回転軸体と、前記突出部に取り付けられた耕耘爪と、前記突出部に取り付けられ、前記耕耘爪を支える爪押え体と、この爪押え体に設けられ、前記軸支持部の外周部への雑物の巻付きを防止する巻付防止体とを備えるものである。
【０００６】
そして、巻付防止体が爪押え体に設けられているため、巻付防止体が曲がるとボルトが抜けなくなるという不具合の発生を防止可能となる。
【０００７】
請求項２記載の農作業機は、軸支持部を有する作業機本体と、前記軸支持部にて回転可能に支持された軸部およびこの軸部から突出した突出部を有する回転軸体と、前記突出部にボルトおよびナットにて取り付けられた耕耘爪と、前記ナットに設けられ、前記軸支持部の外周部への雑物の巻付きを防止する巻付防止体とを備えるものである。
【０００８】
そして、巻付防止体がナットに設けられているため、巻付防止体が曲がるとボルトが抜けなくなるという不具合の発生を防止可能となる。
【０００９】
請求項３記載の農作業機は、軸支持部を有する作業機本体と、前記軸支持部にて回転可能に支持された軸部およびこの軸部から突出した突出部を有する回転軸体と、前記突出部に取り付けられた耕耘爪と、前記突出部に設けられ、前記軸支持部の外周部への雑物の巻付きを防止する巻付防止体とを備えるものである。
【００１０】
そして、巻付防止体が回転軸体の突出部に設けられているため、巻付防止体が曲がるとボルトが抜けなくなるという不具合の発生を防止可能となる。
【００１１】
請求項４記載の農作業機は、軸支持部を有する作業機本体と、前記軸支持部にて回転可能に支持された軸部およびこの軸部から突出した突出部を有する回転軸体と、前記突出部に取り付けられた耕耘爪と、この耕耘爪に設けられ、前記軸支持部の外周部への雑物の巻付きを防止する巻付防止体とを備えるものである。
【００１２】
そして、巻付防止体が耕耘爪に設けられているため、巻付防止体が曲がるとボルトが抜けなくなるという不具合の発生を防止可能となる。
【００１３】
請求項５記載の農作業機は、軸支持部を有する作業機本体と、前記軸支持部にて回転可能に支持された軸部およびこの軸部から突出した突出部を有する回転軸体と、前記突出部に取り付けられた耕耘爪と、前記軸部に設けられ、前記軸支持部の外周部への雑物の巻付きを防止する巻付防止体とを備えるものである。
【００１４】
そして、巻付防止体が回転軸体の軸部に設けられているため、巻付防止体が曲がるとボルトが抜けなくなるという不具合の発生を防止可能となる。
【００１５】
請求項６記載の農作業機は、軸支持部を有する作業機本体と、前記軸支持部にて回転可能に支持された軸部およびこの軸部から突出した突出部を有する回転軸体と、前記突出部に取り付けられた耕耘爪と、前記軸部に取り付けられた取付体と、この取付体に設けられ、前記軸支持部の外周部への雑物の巻付きを防止する巻付防止体とを備えるものである。
【００１６】
そして、巻付防止体が軸部に取り付けられた取付体に設けられているため、巻付防止体が曲がるとボルトが抜けなくなるという不具合の発生を防止可能である。
【発明の効果】
【００１７】
請求項１に係る発明によれば、巻付防止体が爪押え体に設けられているため、巻付防止体が曲がるとボルトが抜けなくなるという不具合の発生を防止できる。
【００１８】
請求項２に係る発明によれば、巻付防止体がナットに設けられているため、巻付防止体が曲がるとボルトが抜けなくなるという不具合の発生を防止できる。
【００１９】
請求項３に係る発明によれば、巻付防止体が回転軸体の突出部に設けられているため、巻付防止体が曲がるとボルトが抜けなくなるという不具合の発生を防止できる。
【００２０】
請求項４に係る発明によれば、巻付防止体が耕耘爪に設けられているため、巻付防止体が曲がるとボルトが抜けなくなるという不具合の発生を防止できる。
【００２１】
請求項５に係る発明によれば、巻付防止体が回転軸体の軸部に設けられているため、巻付防止体が曲がるとボルトが抜けなくなるという不具合の発生を防止できる。
【００２２】
請求項６に係る発明によれば、巻付防止体が軸部に取り付けられた取付体に設けられているため、巻付防止体が曲がるとボルトが抜けなくなるという不具合の発生を防止できる。
【発明を実施するための最良の形態】
【００２３】
本発明の農作業機の一実施の形態を図面を参照して説明する。
【００２４】
図１において、１は農作業機で、この農作業機１は、走行車であるトラクタ（図示せず）に連結された状態で、トラクタの走行により水田等の圃場を前方に移動しながら耕耘整地作業をする耕耘整地装置である。
【００２５】
そして、農作業機１は、作業機本体２を備えている。作業機本体２は３点連結部（図示せず）を有し、３点連結部がトラクタの後部の３点リンク部に連結されている。また、作業機本体２は、左右方向中央に入力軸保持部（ギアボックス）４を有し、入力軸保持部４にはトラクタ側からの動力を入力する入力軸５が回転可能に設けられている。入力軸５はトラクタのＰＴＯ軸に伝動シャフト等を介して連結されている。
【００２６】
そして、作業機本体２には、入力軸５側からの動力に基づいて所定方向に回転しながら耕耘作業をする耕耘手段６と、この耕耘手段６の後方位置で整地作業をする整地手段（図示せず）とが設けられている。
【００２７】
ここで、作業機本体２は、互いに離間対向したチェーンケース（伝動ケース）８およびブラケット９を左右両端部に有している。
【００２８】
チェーンケース８の略箱状のケース本体部11の下端部には、略円筒状の軸支持部（ボス部）12が固設され、この軸支持部12はケース本体部11の下端部内面よりブラケット９側である内方に向って突出している。同様に、ブラケット９の略板状のブラケット本体部13の下端部には、略円筒状の軸支持部（ボス部）14が固設され、この軸支持部14はブラケット本体部13の下端部内面よりチェーンケース８側である内方に向って突出している。
【００２９】
耕耘手段６は、チェーンケース８およびブラケット９間に回転可能に配設された回転軸体21を有している。
【００３０】
回転軸体21は、チェーンケース８の軸支持部12およびブラケット９の軸支持部14にてベアリング22および軸付シール23を介して回転可能に支持された左右方向に長手状の軸部25を有し、この軸部25の外周部からは複数の略円環状の突出部である爪用フランジ部26が左右方向に間隔をおいて突出している。
【００３１】
そして、図１ないし図３に示されるように、複数の爪用フランジ部26の各々には、回転軸体21とともに所定方向に回転して耕耘作業をする複数本の耕耘爪27がボルト28およびナット29にて着脱可能に取り付けられている。なお、ナット29は、例えばやや長手状のベース板部30とこのベース板部30の両端側に固設されたナット部31とにて構成された特殊ナットである。
【００３２】
また、複数の爪用フランジ部26のうち、チェーンケース８に最も近い爪用フランジ部26には、耕耘爪27を支える複数、例えば２つの爪押え体（爪押えナット）33がボルト34にて着脱可能に取り付けられ、この各爪押え体33にチェーンケース８の軸支持部12の外周部への稲わら等の雑物（図示せず）の巻付きを防止する棒状で突出状の巻付防止体35がチェーンケース８側に向って突出状に固設されている。
【００３３】
爪押え体33は、例えばやや長手状のベース板部36を有し、このベース板部36の両端側にはナット部37が固設され、このベース板部36の片方の端面が当接支持面38となって耕耘爪27に当接している。
【００３４】
また、巻付防止体35は、例えば一直線状で断面略円形の棒状部材41にて構成され、この棒状部材41の基端部における外周の一部が爪押え体33のベース板部36の側縁に溶接等により固着されている。棒状部材41の先端部は、チェーンケース８のケース本体部11の内面の近傍に位置する。
【００３５】
なお、図１に示されるように、複数の爪用フランジ部26のうちブラケット９に最も近い爪用フランジ部26側にも、チェーンケース８側と同様、巻付防止体35等が設けられている。また、回転軸体21のチェーンケース８のケース本体部11内に位置する端部にはスプロケット42が設けられ、このスプロケット42に図示しないチェーンが掛け渡されている。
【００３６】
なお、耕耘手段６は回転軸体21および耕耘爪27等にて構成され、整地手段は耕耘カバーの後端部に上下回動可能に設けられた整地板等にて構成されている。
【００３７】
次に、上記農作業機１の作用等を説明する。
【００３８】
トラクタの走行によりトラクタとともに農作業機１を前方に移動させると、耕耘手段６の複数の耕耘爪27にて耕耘作業が行われ、整地手段にて整地作業が行われる。
【００３９】
この際、爪押え体33に設けられた巻付防止体35は、軸支持部12，14の外周部の近傍位置でこの外周部に沿って旋回するため、この巻付防止体35にて軸支持部12，14の外周部への稲わら等の雑物の巻付きが防止される。
【００４０】
そして、上記農作業機１によれば、棒状部材41にて構成された巻付防止体35が爪押え体33に設けられているため、従来生じた巻付防止体が曲がると耕耘爪の交換時等にボルトが抜けなくなるという不具合の発生を防止でき、仮に巻付防止体35が多少曲がったとしても何ら不具合は生じない。
【００４１】
なお、上記一実施の形態では、巻付防止体35が爪押え体33に一体的に設けられた構成について説明したが、例えば図３の二点鎖線で示すように、巻付防止体35が特殊ナットであるナット29に一体的に設けられた構成でもよい。このナット29に設けられた巻付防止体35は、例えば一直線状で断面略円形の棒状部材41にて構成され、この棒状部材41の基端部における外周の一部がナット29のベース板部30の側縁に溶接等により固着され、この棒状部材41の先端部はチェーンケース８およびブラケット９の各内面近傍に位置する。
【００４２】
また、図４および図５に示すように、農作業機１は、巻付防止体35が回転軸体21の爪用フランジ部26の外周部に一体的に設けられた構成でもよい。この爪用フランジ部26に設けられた巻付防止体35は、例えば一直線状で断面略円形の棒状部材41にて構成され、この棒状部材41の基端部における外周の一部が爪用フランジ部26の外周縁に溶接等により固着され、この棒状部材41の先端部はチェーンケース８およびブラケット９の各内面近傍に位置する。
【００４３】
さらに、図６および図７に示すように、農作業機１は、巻付防止体35が耕耘爪27の基端部に一体的に設けられた構成でもよい。この耕耘爪27に設けられた巻付防止体35は、例えば一直線状で断面略円形の棒状部材41にて構成され、この棒状部材41の基端部の端面が耕耘爪27の基端部に溶接等により固着され、この棒状部材41の先端部はチェーンケース８およびブラケット９の各内面近傍に位置する。
【００４４】
また、図８に示すように、農作業機１は、巻付防止体35が回転軸体21の軸部25の端部に一体的に設けられた構成でもよい。この軸部25に設けられた巻付防止体35は、例えば略Ｌ字状で断面略円形の棒状部材41にて構成され、この棒状部材41の基端部の端面が軸部25の端部外周面に溶接等により固着され、この棒状部材41の先端部はチェーンケース８およびブラケット９の各内面近傍に位置する。
【００４５】
さらに、図９に示すように、爪押え体33のベース板部36に形成された孔部36aに巻付防止体35である棒状部材41を嵌入することにより巻付防止体35を爪押え体33に設けた構成でもよい。なお図示しないが、上記他の実施の形態において棒状部材41を嵌入して巻付防止体35を設けるようにしてもよく、またいずれの実施の形態において巻付防止体35を爪押え体33等に一体に設けてもよく、或いは着脱可能に設けてもよい。
【００４６】
また、図１０に示すように爪用フランジ部26の外周部の３箇所に巻付防止体35を設けた構成でもよく、図１１に示すように爪用フランジ部26の外周部の４箇所に巻付防止体35を設けた構成でもよい。すなわち、いずれも実施の形態においても、巻付防止体35の数は任意であり単数でも複数でもよく、さらに、巻付防止体35は、剛体にて構成されたものでもよく、ゴム等の弾性体にて構成されたものでもよい。
【００４７】
また、図１２および図１３に示すように、農作業機１は、巻付防止体35が回転軸体21の軸部25の端部外周部に溶接等により固定的に取り付けられた突出状の取付体である取付板46に着脱可能に設けられた構成でもよい。この取付板46に設けられた巻付防止体35は、例えばボルト47およびナット48にて構成されている。すなわち、取付板46にはボルト用孔部46aが形成され、このボルト用孔部46aにボルト47の軸部47aが差し込まれ、このボルト47の軸部47aにナット48が螺合されている。このナット48は軸方向の長さ寸法が大きい高ナットで、このナット48のボルト47側とは反対側の端部はチェーンケース８およびブラケット９の各内面近傍に位置する。なお、図１２に示す回転軸体21の軸部25の外周部からは複数の略円筒状の突出部である爪用ホルダ部26aが突出し、この各爪用ホルダ部26aに耕耘爪27が取り付けられる。
【００４８】
さらに、前記各実施の形態の巻付防止体35を適宜組み合わせてもよく、例えば巻付防止体35を爪押え体33およびナット29に設けた構成、或いは巻付防止体35を爪押え体33および耕耘爪27に設けた構成等でもよい。
【図面の簡単な説明】
【００４９】
【図１】本発明の農作業機の一実施の形態の部分断面図である。
【図２】同上農作業機の要部断面部である。
【図３】同上農作業機の要部側面図である。
【図４】本発明の農作業機の他の実施の形態の要部断面部である。
【図５】同上農作業機の要部側面図である。
【図６】本発明の農作業機のさらに他の実施の形態の要部断面部である。
【図７】同上農作業機の要部側面図である。
【図８】本発明の農作業機のさらに他の実施の形態の概要図である。
【図９】本発明の農作業機のさらに他の実施の形態の要部側面図である。
【図１０】本発明の農作業機のさらに他の実施の形態の要部側面図である。
【図１１】本発明の農作業機のさらに他の実施の形態の要部側面図である。
【図１２】本発明の農作業機のさらに他の実施の形態の要部側面図である。
【図１３】本発明の農作業機のさらに他の実施の形態の要部側面図である。
【符号の説明】
【００５０】
１    農作業機
２    作業機本体
12，14    軸支持部
21    回転軸体
25    軸部
26    突出部である爪用フランジ部
26a    突出部である爪用ホルダ部
27    耕耘爪
28    ボルト
29    ナット
33    爪押え体
35    巻付防止体
46    取付体である取付板
【図１】
2005304403.tif 000003
【図２】
2005304403.tif 000004
【図３】
2005304403.tif 000005
【図４】
2005304403.tif 000006
【図５】
2005304403.tif 000007
【図６】
2005304403.tif 000008
【図７】
2005304403.tif 000009
【図８】
2005304403.tif 000010
【図９】
2005304403.tif 000011
【図１０】
2005304403.tif 000012
【図１１】
2005304403.tif 000013
【図１２】
2005304403.tif 000014
【図１３】
2005304403.tif 000015